(57)【要約】【課題】回路基板と接続対象物の回路基板と平行な平面内における相対移動を許容しつつ、高い接触信頼性を得ることが可能で、かつ、コンタクトを確実に保護できるコネクタ、及び、該コネクタを利用したＬＥＤ照明器具を提供する。【解決手段】プラグコネクタ１５が、回路基板ＣＢの表面に実装する実装部１７と、一対の接触部１９と、一対の該接触部どうしの間隔より広幅の抜止部２０と、を有するプラグコンタクト１５を備え、リセプタクルコネクタ２５が、二つの接触部に対して接触する二対の接触片３１、二つの弾性接続部２９、及び、連結部３５、を有するリセプタクルコンタクト２７と、リセプタクルコンタクト及びプラグコンタクトの周囲を囲む囲堯壁４１、４２、及び、囲堯壁の端部を塞ぐ閉塞部４３と、を有し、リセプタクルコンタクトを支持するリセプタクルインシュレータ３９と、を備える。【選択図】図１５
2013114933.tif 000002
【特許請求の範囲】
【請求項１】
一平面上に位置する複数の回路基板の表面にそれぞれ固定するプラグコネクタと、隣り合う二つの上記回路基板に固定した二つの上記プラグコネクタと接続するリセプタクルコネクタと、
を備えるコネクタにおいて、
上記プラグコネクタが、
上記回路基板の表面に実装する実装部と、
該実装部を挟んで上記回路基板と反対側に位置し、かつ、上記回路基板と平行な平面で切断した断面形状が互いに反対側に向かって突出する凸曲線からなる一対の接触部と、
該接触部を挟んで上記回路基板と反対側に位置し、かつ、一対の該接触部どうしの間隔より広幅の抜止部と、
を有するプラグコンタクトを備え、
上記リセプタクルコネクタが、
互いに平行をなしながら直線的に延び、かつ外側から対をなす二つの上記接触部に対して接触する二対の接触片、対をなす該接触片どうしを接続し、対をなす該接触片の対向方向に弾性変形可能な二つの弾性接続部、及び、二つの該弾性接続部どうしを接続する連結部、を有するリセプタクルコンタクトと、
上記リセプタクルコンタクト、及び、上記接触片と接続した上記プラグコンタクトの周囲を囲み、上記回路基板との対向面が開口する囲堯壁、及び、該囲堯壁の上記回路基板と反対側の端部を塞ぐ閉塞部と、を有し、かつ上記リセプタクルコンタクトを支持するリセプタクルインシュレータと、
を備えることを特徴とするコネクタ。
【請求項２】
請求項１記載のコネクタにおいて、
上記プラグコンタクトが、
上記抜止部を挟んで上記接触部と反対側に位置し、かつ、該抜止部から該接触部と反対側に向かうにつれて互いに近づく二つの傾斜面を備えるコネクタ。
【請求項３】
請求項１または２記載のコネクタにおいて、
上記プラグコンタクトが、
互いに分離しかつ共に上記接触部を備える第一パーツ及び第二パーツと、
該第一パーツと第二パーツを接続するパーツ接続部と、
を備えるコネクタ。
【請求項４】
請求項１から３のいずれか１項記載のコネクタにおいて、
上記プラグコンタクトが、
上記実装部と上記接触部の間に位置する部分に、該実装部と上記回路基板の間に施したはんだが上記接触部側に這い上がるのを防止するはんだ上がり防止部を形成したコネクタ。
【請求項５】
請求項１から４のいずれか１項記載のコネクタにおいて、
上記実装部の上記回路基板との対向面にはんだ逃げ用凹部を形成したコネクタ。
【請求項６】
請求項１から５のいずれか１項記載のコネクタにおいて、
上記囲堯壁の上記回路基板との対向端面に、該回路基板と非平行な傾斜端面を形成したコネクタ。
【請求項７】
請求項１から６のいずれか１項記載のコネクタにおいて、
上記囲堯壁の上記回路基板との対向端面に、隣接する二つの上記回路基板の隣接端部と該回路基板の厚み方向に対向する逃げ用凹部を形成したコネクタ。
【請求項８】
請求項１から７のいずれか１項記載の上記コネクタ及び上記回路基板を複数具備し、
上記回路基板にＬＥＤを設けたことを特徴とするＬＥＤ照明器具。
【発明の詳細な説明】
【技術分野】
【０００１】
本発明は、回路基板どうしを相対移動可能として接続するコネクタ、及び、該コネクタを利用したＬＥＤ照明器具に関する。
【背景技術】
【０００２】
直管型のＬＥＤ照明器具は一般的に、直線的に延びる円筒状のガラスや樹脂（ポリカーボネート等）によって構成した透光管と、該透光管の内部に同一平面上に位置しかつ透光管の長手方向に並ぶように配設した、一方の面（下面）側にＬＥＤが固定された平板状をなす多数の回路基板と、隣り合う回路基板どうしを接続する複数のコネクタと、を具備している。
各回路基板を透光管に対して取り付けたときに、隣り合う回路基板どうしが設計位置から上記長手方向にずれたり、或いは透光管の幅方向（長手方向に対して直交する方向）に位置ずれすることがある。さらに回路基板の反りや取り付け時のばらつきにより、隣り合う回路基板どうしが回路基板の厚み方向にずれることがある。そのため上記コネクタには、これらの位置ずれを吸収する機能が要求される。
【０００３】
特許文献１はこのような位置ずれ吸収機能を有するコネクタを開示している。
このコネクタは各回路基板の一方の面に固定した複数のリセプタクルコネクタ（基板用コネクタ）と、隣り合う回路基板に固定された２つのリセプタクル同士を接続する複数のプラグコネクタ（連結用コネクタ）と、を有している。
リセプタクルコネクタは、一方の面側（回路基板と反対側）に開口部を有するリセプタクルインシュレータ（ハウジング）と、リセプタクルインシュレータの内部に上記開口部と対向する状態で収納され、回路基板の回路と電気的に接続する複数のリセプタクルコンタクト（端子）と、を備えている。各リセプタクルコンタクトは、互いに離間した状態で対向する一対の弾性片を有している。
プラグコネクタは、プラグインシュレータ（ハウジング）と、プラグインシュレータの内部に支持した、複数のプラグコンタクト（連結端子）と、プラグインシュレータの表面を覆う絶縁板と、を備えている。プラグインシュレータは、一対の支持部材と、一対の支持部材を接続する弾性変形可能な接合部と、を具備している。各支持部材には、支持部材をその厚み方向に貫通する複数の支持孔が形成してある。各プラグコンタクトは、直線的な角柱形状の連結部と、連結部の両端部から連結部に対して直交する方向に突出する一対の脚部と、を具備している。各プラグコンタクトは、一対の脚部を一方の支持部材の支持孔と他方の支持部材の支持孔に一方側から挿入し、各脚部の先端部を対応する支持孔から回路基板側に突出させてある。各脚部は対応する支持孔に対して自身の軸線回りに微小角度範囲内で回転可能であり、脚部が回転すると連結部が支持部材に対して相対回転する。
絶縁板は、脚部の先端と反対側から各支持部材に被せてあり、各脚部が対応する支持孔から抜け出すのを規制している。
【０００４】
プラグコネクタの一対の支持部材を隣り合う２つの回路基板に固定した各リセプタクルコネクタにそれぞれ近づけて、各プラグコンタクトの脚部をリセプタクルインシュレータの上記開口部に挿入すると、各脚部が対応するリセプタクルコンタクトの一対の弾性片の間に進入し、該一対の弾性片によって弾性的に挟持される。その結果、隣り合う２つの回路基板どうしがプラグコンタクトとリセプタクルコンタクトを介して互いに電気的に導通する。従って、特許文献１のコネクタを上記のようなＬＥＤ照明器具に適用すれば、各回路基板に電流が流れて各ＬＥＤが発光する。
さらに、隣り合う回路基板どうしが設計位置に対してＬＥＤ照明器具の長手方向にずれた場合は、各プラグコンタクトの少なくとも一方の脚部が対応するリセプタクルコンタクト（一対の弾性片）に対して長手方向にスライドし、さらに接合部が弾性変形して一対の支持部材どうしの距離を変化させることにより、当該位置ずれを吸収する。
また隣り合う回路基板どうしが設計位置に対して透光管の幅方向にずれた場合は、各プラグコンタクトの少なくとも一方の脚部が対応する支持孔に対して相対回転し（連結部が支持部材に対して相対回転し）、さらに接合部が弾性変形して一対の支持部材どうしを該幅方向に相対スライドさせることにより、当該位置ずれを吸収する。
【先行技術文献】
【特許文献】
【０００５】
【特許文献１】特開２０１０−３３９５３号公報
【発明の概要】
【発明が解決しようとする課題】
【０００６】
特許文献１のコネクタでは、隣り合う回路基板どうしが設計位置に対して透光管の幅方向にずれることにより、各プラグコンタクトの脚部が対応する支持孔に対して相対回転すると、脚部と支持孔の接触部から連結部までの距離が離れているため特に脚部と連結部の接合部に捻り力（回転モーメント）が生じ、この捻り力が両端の接合部から連結部に伝わる。
しかし連結部（及び脚部）は実質的に弾性変形不能な構造であるため、プラグコンタクトに長期間に渡って捻り力が掛かり続けると、脚部や連結部が変形したり破損するおそれがある。そのためプラグコンタクトとリセプタクルコンタクトの接触信頼性が低下し易い。
【０００７】
また特許文献１では、リセプタクルコネクタの各支持部材の表面を絶縁板で覆っているものの、一対の支持部材間の隙間においてプラグコンタクト（連結部）が露出してしまうので、嵌合作業時にプラグコンタクトが変形したり、プラグコンタクトに作業者の皮脂（手）が付着して腐食するおそれがある。さらに粉塵や金属片等の異物が付着し易く、導通時にスパークの原因になる虞もある。
【０００８】
本発明の目的は、回路基板どうしの３次元的な相対移動を許容しつつ、高い接触信頼性を得ることが可能で、かつ、コンタクトを確実に保護できるコネクタ、及び、該コネクタを利用したＬＥＤ照明器具を提供することにある。
【課題を解決するための手段】
【０００９】
本発明のコネクタは、一平面上に位置する複数の回路基板の表面にそれぞれ固定するプラグコネクタと、隣り合う二つの上記回路基板に固定した二つの上記プラグコネクタと接続するリセプタクルコネクタと、を備えるコネクタにおいて、上記プラグコネクタが、上記回路基板の表面に実装する実装部と、該実装部を挟んで上記回路基板と反対側に位置し、かつ、上記回路基板と平行な平面で切断した断面形状が互いに反対側に向かって突出する凸曲線からなる一対の接触部と、該接触部を挟んで上記回路基板と反対側に位置し、かつ、一対の該接触部どうしの間隔より広幅の抜止部と、を有するプラグコンタクトを備え、上記リセプタクルコネクタが、互いに平行をなしながら直線的に延び、かつ外側から対をなす二つの上記接触部に対して接触する二対の接触片、対をなす該接触片どうしを接続し、対をなす該接触片の対向方向に弾性変形可能な二つの弾性接続部、及び、二つの該弾性接続部どうしを接続する連結部、を有するリセプタクルコンタクトと、上記リセプタクルコンタクト、及び、上記接触片と接続した上記プラグコンタクトの周囲を囲み、上記回路基板との対向面が開口する囲堯壁、及び、該囲堯壁の上記回路基板と反対側の端部を塞ぐ閉塞部と、を有し、かつ上記リセプタクルコンタクトを支持するリセプタクルインシュレータと、を備えることを特徴としている。
【００１０】
上記プラグコンタクトが、上記抜止部を挟んで上記接触部と反対側に位置し、かつ、該抜止部から該接触部と反対側に向かうにつれて互いに近づく二つの傾斜面を備えてもよい。
【００１１】
上記プラグコンタクトが、互いに分離しかつ共に上記接触部を備える第一パーツ及び第二パーツと、該第一パーツと第二パーツを接続するパーツ接続部と、を備えてもよい。
【００１２】
上記プラグコンタクトが、上記実装部と上記接触部の間に位置する部分に、該実装部と上記回路基板の間に施したはんだが上記接触部側に這い上がるのを防止するはんだ上がり防止部を形成してもよい。
【００１３】
上記実装部の上記回路基板との対向面にはんだ逃げ用凹部を形成してもよい。
【００１４】
上記囲堯壁の上記回路基板との対向端面に、該回路基板と非平行な傾斜端面を形成してもよい。
【００１５】
上記囲堯壁の上記回路基板との対向端面に、隣接する二つの上記回路基板の隣接端部と該回路基板の厚み方向に対向する逃げ用凹部を形成してもよい。
【００１６】
さらに本発明のＬＥＤ照明器具は、上記コネクタ及び上記回路基板を複数具備し、上記回路基板にＬＥＤを設けたことを特徴としている。
【発明の効果】
【００１７】
本発明によれば、隣り合う回路基板どうしの間にリセプタクルコネクタの長手方向（一方の接触片対と他方の接触片対の離間方向）の位置ずれが生じた場合は、リセプタクルコンタクトの対をなす接触片がプラグコンタクトの対をなす接触部に対して当該長手方向に相対移動することにより、この位置ずれを吸収する。
また、隣り合う回路基板どうしの間にリセプタクルコネクタの幅方向（対をなす接触片の離間方向）の位置ずれが生じた場合は、プラグコンタクトの一対の接触部が対応する一対の接触片に対して相対回転することにより、この位置ずれを吸収する。
さらに隣り合う回路基板どうしの間に回路基板の厚み方向の位置ずれが生じた場合は、プラグコンタクト（接触部）が接触片に対して該厚み方向に相対移動することにより、この位置ずれを吸収する。
従って、隣り合う回路基板どうしがリセプタクルコネクタの長手方向、リセプタクルコネクタの幅方向、及び、回路基板の厚み方向のいずれの方向に位置ずれした場合、並びに、これらの各方向に複合的に位置ずれした場合においても、回路基板どうしを確実に導通させることが可能である。
【００１８】
さらに隣り合う回路基板どうしの間にリセプタクルコネクタの幅方向の位置ずれが生じた場合は、プラグコンタクトの一対の接触部が対応する一対の接触片に対して相対回転するため、プラグコンタクトと接触しているリセプタクルコンタクトの接触片には力が掛かる。しかし接触片に掛かった力は弾性接続部が弾性変形することにより吸収されるため、リセプタクルコンタクトに回転モーメントが発生することがないので、この力は連結部には殆ど及ばない。そのため接触片に長期間に渡って力が掛かり続けたとしても、連結部が変形したり破損するおそれは殆どないので、連結部の変形や破損に起因して接触信頼性が低下するおそれは殆どない。
【００１９】
また、プラグコンタクトとリセプタクルコンタクトが、（プラグインシュレータの）収納空間（囲堯壁と閉塞部によって囲まれた空間）に収納されるので、プラグコンタクトとリセプタクルコンタクトはその周囲全体が回路基板とプラグインシュレータによって保護される。よって、プラグコンタクトとリセプタクルコネクタの接続作業時だけでなく接続後においても、プラグコンタクトとリセプタクルコンタクトが破損するのを防止できる。さらに、接続後は電気的に導通する部分を覆う構造となるので、極めて良好な絶縁性能を発揮する。
【図面の簡単な説明】
【００２０】
【図１】本発明の第１の実施形態のコネクタ及び直管型のＬＥＤ照明器具を、一方のプラグインシュレータを回路基板から分離した状態で示す下方から見た斜視図である。
【図２】プラグコンタクトの下方から見た斜視図である。
【図３】プラグコンタクトの平面図である。
【図４】プラグコンタクトの正面図である。
【図５】プラグコンタクトの側面図である。
【図６】リセプタクルコネクタの上方から見た分解斜視図である。
【図７】リセプタクルコネクタの下方から見た分解斜視図である。
【図８】リセプタクルコネクタの上方から見た斜視図である。
【図９】リセプタクルコネクタの底面図である。
【図１０】リセプタクルコネクタの側面図である。
【図１１】図９のXI−XI矢線に沿う断面図である。
【図１２】図１０のXII−XII矢線に沿う断面図である。
【図１３】図１０のXIII−XIII矢線に沿う断面図である。
【図１４】接続状態にあるリセプタクルコンタクトと２つのプラグコンタクトの上方から見た斜視図である。
【図１５】隣り合う回路基板どうしが左右方向に位置ずれしたときのリセプタクルインシュレータを省略して示すコネクタ及び回路基板の底面図である。
【図１６】隣り合う回路基板どうしが前後方向に位置ずれしたときのリセプタクルインシュレータを省略して示すコネクタ及び回路基板の底面図である。
【図１７】隣り合う回路基板どうしが上下方向に位置ずれしたときのコネクタ及び回路基板の側面図である。
【図１８】リセプタクルインシュレータを省略して示す図１７と同様の側面図である。
【図１９】第一の変形例のプラグコンタクトの平面図である。
【図２０】第二の変形例のプラグコンタクトの下方から見た斜視図である。
【図２１】同じくプラグコンタクトの側面図である。
【図２２】同じくプラグコンタクトの平面図である。
【図２３】第三の変形例のプラグコンタクトの平面図である。
【図２４】第四の変形例のプラグコンタクトの平面図である。
【図２５】第五の変形例のプラグコンタクトの下方から見た斜視図である。
【図２６】同じくプラグコンタクトの正面図である。
【発明を実施するための形態】
【００２１】
以下、図１〜図１８を参照しながら本発明の第１の実施形態について説明する。なお、以下の説明中の前後、左右、及び上下の方向は、図中の矢印方向を基準としている。
図１に示すＬＥＤ照明器具１００は、前後方向に直線的に延びる円筒状の透光管１０１と、前後方向に延びる一平面（水平面）上に並ぶようにして透光管１０１内に配設した多数の回路基板ＣＢと、各回路基板ＣＢの下面に形成した回路形成面に固定されたＬＥＤユニット１０２と、隣り合う回路基板ＣＢの対向縁部どうしを接続する多数のコネクタ１０と、を具備している。ＬＥＤユニット１０２は、基板と、該基板と一体化したＬＥＤ１０３と、を具備しており、該基板が各回路基板ＣＢの下面に形成された回路（図示略）に接続（はんだ付け）されている。
【００２２】
各コネクタ１０は、隣り合う回路基板ＣＢにそれぞれ固定される一対のプラグコンタクト１５（プラグコネクタ）と、一対のプラグコンタクト１５同士を接続するリセプタクルコネクタ２５と、を具備している。
まずはプラグコンタクト１５の詳しい構造について図２〜図５を参照しながら説明する。
プラグコンタクト１５は、ばね弾性を備えた銅合金（例えばリン青銅、ベリリウム銅、チタン銅）やコルソン系銅合金の薄板を図示形状となるようにスタンピング成形したものである。プラグコンタクト１５の表面にはニッケルめっきで下地を形成した後に錫めっきや金めっきを施している。なお、めっき処理した金属母材をスタンピング成形してプラグコンタクト１５を構成してもよい。
プラグコンタクト１５は、互いに左右対称をなす第一パーツ１６Ａ及び第一パーツ１６Ｂと、第一パーツ１６Ａと第一パーツ１６Ｂを接続するパーツ接続部２２と、を具備している。第一パーツ１６Ａ及び第一パーツ１６Ｂは、略水平な実装部１７と、実装部１７の内側端部から下方に向かって延びるはんだ上がり防止部１８と、はんだ上がり防止部１８の下端から下方に延びる接触部１９と、接触部１９の下端から下方に延びる抜止部２０と、抜止部２０の下端に接続する誘い込み面２１（傾斜面）と、を有している。接触部１９はいずれの上下位置においても曲率が一定の断面円弧形状である。はんだ上がり防止部１８は実装部１７から接触部１９の間にかけての部位であり、その表面に形成された上記表層めっき（錫めっきや金めっき）を剥がすことにより、または選択的に表層めっき形成することにより上記ニッケルめっきを露出させた低濡れ性領域１８Ａとなっている。特に接触部１９にはんだが上がらないようにすることが肝要であるため、少なくともはんだ上がり防止部１８の外面に低濡れ性領域１８Ａを形成する必要がある。抜止部２０の断面形状は、はんだ上がり防止部１８及び接触部１９より大径の円弧形状である。抜止部２０の上部は下方に向かうにつれて徐々に拡径する傾斜部２０Ａであり、傾斜部２０Ａを除く部分はいずれの上下位置においても曲率が一定の一定径部２０Ｂとなっている。パーツ接続部２２の左右両端部は上方に向けて曲折してあり、パーツ接続部２２の左右両端部は第一パーツ１６Ａの誘い込み面２１と第一パーツ１６Ｂの誘い込み面２１にそれぞれ接続している。パーツ接続部２２の下面には水平当接面２３が形成してある。
【００２３】
プラグコンタクト１５は透光管１０１の外部において予め回路基板ＣＢに実装する。
プラグコンタクト１５を回路基板ＣＢの回路形成面に実装するには、回路基板ＣＢの回路形成面を上に向け、回路基板ＣＢの上方に位置する吸引手段（図示略）によって（図２〜図５の状態とは上下を逆さにした）プラグコンタクト１５の水平当接面２３を吸着し、該吸引手段を移動させることによりプラグコンタクト１５の一対の実装部１７を回路基板ＣＢの回路形成面に載せた後に、吸引手段をプラグコンタクト１５の上方に退避させる。そして表面実装技術（ＳＭＴ：Ｓｕｒｆａｃｅ Ｍｏｕｎｔｉｎｇ Ｔｅｃｈｎｏｌｏｇｙ）を利用して、プラグコンタクト１５の一対の実装部１７を回路形成面の回路にはんだ付け（固定）する。このとき該回路形成面と実装部１７の間に施したはんだＡ（はんだフィレット。図４参照）の一部が実装部１７から接触部１９側に流れることがあるが、実装部１７と接触部１９の間にははんだ上がり防止部１８（低濡れ性領域１８Ａ）が形成してあるので、はんだＡが接触部１９にまで到達することはない。
【００２４】
続いてリセプタクルコネクタ２５の詳しい構造について主に図６〜図１０を参照しながら説明する。
リセプタクルコネクタ２５は、リセプタクルコンタクト２７とリセプタクルインシュレータ３９と絶縁カバー６０と、を具備している。
リセプタクルコンタクト２７は、ばね弾性を備えた銅合金（例えばリン青銅、ベリリウム銅、チタン銅）やコルソン系銅合金の薄板を図示形状となるようにスタンピング成形したものであり、その表面にはニッケルめっきで下地を形成した後に錫めっきや金めっきを施している。なお、めっき処理した金属母材をスタンピング成形してリセプタクルコンタクト２７を構成してもよい。
図示するようにリセプタクルコンタクト２７は前後方向に直線的に延びる前後対称かつ左右対称な部材である。
リセプタクルコンタクト２７の前部と後部には嵌合接続部２８が形成してある。前後の嵌合接続部２８は、断面Ｕ字形をなす前後一対の弾性接続部２９と、対をなす前後の弾性接続部２９の左右両端どうしを接続する左右一対の接触片３１と、外側の弾性接続部２９（前側の嵌合接続部２８は前側の弾性接続部２９、後側の弾性接続部２９は後側の弾性接続部２９）から上方に向かって突出する端部係止片３４と、を有している。図示するように前後方向に直線的に延びる接触片３１の断面形状は略「く」の字であり、対をなす左右の接触片３１の対向部には左右方向に延びる接触突条３２が形成してあり、接触突条３２より上側の部分は傾斜案内部３３を構成している。リセプタクルコンタクト２７の長手方向の中央部は、前側の嵌合接続部２８（の後方の弾性接続部２９）と後側の嵌合接続部２８（の前方の弾性接続部２９）を連結する中間連結部３５（連結部）となっている。中間連結部３５は平板状の当接部３６と、当接部３６の左右両側縁部から上方に向かって突出する左右一対の中央係止片３７と、を有している。中間連結部３５の中央部（中央係止片３７を形成した部分）の断面形状は弾性接続部２９と同じ形状である。またリセプタクルコンタクト２７が自由状態にあるとき、対をなす左右の接触片３１の接触突条３２どうしの左右間隔は、プラグコンタクト１５のパーツ接続部２２の左右長より長く、かつ、プラグコンタクト１５の左右の抜止部２０（傾斜部２０Ａ、一定径部２０Ｂ）どうしの左右間隔、及び、左右の接触部１９の左右間隔より短い。
【００２５】
リセプタクルインシュレータ３９は絶縁性の合成樹脂料を射出成形した一体成形物である。図示するようにリセプタクルインシュレータ３９の内部は中空であり、リセプタクルインシュレータ３９の上面全体が開口している。そしてリセプタクルインシュレータ３９の内部空間全体が収納空間４０となっている。
リセプタクルインシュレータ３９は、前後方向に延びる左右一対の側壁４１（囲堯壁）と、左右の側壁４１の前後両端どうしを接続する前後一対の端部壁４２（囲堯壁）と、側壁４１及び端部壁４２の下縁部によって囲まれた部分を閉塞する閉塞部４３と、を備えている。
左右の側壁４１の上端面の前後方向の中央部には逃げ用凹部４５が凹設してある。さらに左右の側壁４１の上端面の左右両側部は、上下方向に対して直交する水平面である水平面４６と、水平面４６より端部壁４２側に位置する部分を構成する外側傾斜端面４７（傾斜端面）と、水平面４６より逃げ用凹部４５側に位置する部分を構成する内側傾斜端面４８（傾斜端面）と、を備えている。外側傾斜端面４７は水平面４６から端部壁４２側に向かうにつれて下方に向かう傾斜面であり、内側傾斜端面４８は水平面４６から逃げ用凹部４５側に向かうにつれて下方に向かう傾斜面である。
前後の端部壁４２の内面の上部には端部係止爪５０が突設してある。端部係止爪５０の下面は水平面であり、端部係止爪５０の上部には案内傾斜面５１が形成してある。
左右の側壁４１の内面の中央部の上端部には前後一対の中間連結部用係止爪５３が突設してある。中間連結部用係止爪５３の下面は水平面であり、中間連結部用係止爪５３の上部には案内傾斜面５４が形成してある。また左右の側壁４１の内面の中央近傍部の上端部には前後一対の仕切壁５５が突設してある。各仕切壁５５の上端部と側壁４１とに跨る部分にはカバー用係止爪５６が突設してある。カバー用係止爪５６の下面は水平面であり、カバー用係止爪５６の上部には案内傾斜面５７が形成してある。
絶縁カバー６０は絶縁性の樹脂材料によって構成した板状の一体成形物である。絶縁カバー６０の前後両端部には前方と後方に向かってそれぞれ延びる一対の係合片６１が突設してあり、絶縁カバー６０の左右両縁部の中央部には干渉防止用凹部６２が凹設してある。
【００２６】
リセプタクルコンタクト２７、リセプタクルインシュレータ３９、及び、絶縁カバー６０を一体化してリセプタクルコネクタ２５を組み立てるには、図６、図７に示すようにリセプタクルコンタクト２７をリセプタクルインシュレータ３９の直上に位置させた後に、リセプタクルコンタクト２７全体を下方に移動させて収納空間４０に挿入し、左側の嵌合接続部２８を左側の端部壁４２と仕切壁５５の間に位置させ、右側の嵌合接続部２８を右側の端部壁４２と仕切壁５５の間に位置させ、かつ、中間連結部３５を各仕切壁５５の間に位置させる。すると当接部３６の下面、及び、各弾性接続部２９の下面が収納空間４０の底面（閉塞部４３の上面）に面接触するので、リセプタクルコンタクト２７のリセプタクルインシュレータ３９に対する下方への相対移動が規制される。また前後の端部係止片３４が、前後の端部係止爪５０の案内傾斜面５１に接触しながら内側（前側の端部係止片３４は後側、後側の端部係止片３４は前側）に弾性変形することにより端部係止爪５０を下方に乗り越え、前後の端部係止片３４の上端面が対応する端部係止爪５０の下面より低い位置まで移動したときに、前後の端部係止片３４が自身の弾性力によって自由状態に復帰し、端部係止片３４の上端面が対応する端部係止爪５０の下面と係合する（図１１参照）。さらに左右の中央係止片３７が、左右の中間連結部用係止爪５３の案内傾斜面５４に当接しながら側壁４１を外側（左側の側壁４１は左側、右側の側壁４１は右側）に押し広げる（弾性変形させる）ことにより対応する中間連結部用係止爪５３を下方に乗り越え、左右の中央係止片３７の上端面が対応する中間連結部用係止爪５３の下面より低い位置まで移動したときに、左右の側壁４１が自身の弾性力によって自由状態に復帰し、中央係止片３７の上端面が対応する中間連結部用係止爪５３の下面と係合する（図１１参照）。従って、リセプタクルコンタクト２７のリセプタクルインシュレータ３９に対する上方への相対移動が規制される。さらに前側の端部係止片３４と前側の端部壁４２の内面のクリアランス、及び、後側の端部係止片３４と後側の端部壁４２の内面のクリアランスは微小距離となるので（図１１参照）、リセプタクルコンタクト２７のリセプタクルインシュレータ３９に対する前後方向の相対移動も実質的に規制される。その一方で、図１２、図１３に示すように、各弾性接続部２９の左右両側部と各接触片３１は左右の側壁４１の内面から内側に離間するので、各弾性接続部２９の左右両側部及び各接触片３１は左右方向に弾性変形可能な状態となる。そのためリセプタクルコンタクト２７はリセプタクルインシュレータ３９によって内部応力が発生しない無負荷状態で支持される。
【００２７】
次いで、図６、図７に示すようにリセプタクルインシュレータ３９の直上に位置させた絶縁カバー６０を下方に移動させて、左右の干渉防止用凹部６２内に左右の中間連結部用係止爪５３を位置させながら、絶縁カバー６０全体を左右の側壁４１と各仕切壁５５によって囲まれた空間に挿入する。すると前後の係合片６１が前後のカバー用係止爪５６の案内傾斜面５７に当接しながら弾性変形することにより対応する２つの仕切壁５５をそれぞれ下方に乗り越え、前後の係合片６１の上端面が対応するカバー用係止爪５６の下面より低い位置まで移動したときに、前後の係合片６１が自身の弾性力によって自由状態に復帰してカバー用係止爪５６の下面の直下に位置する（図１１参照）。このようにして絶縁カバー６０をリセプタクルインシュレータ３９に装着すると絶縁カバー６０の左右両縁部が左右の中央係止片３７の直上に位置するが、絶縁カバー６０の左右両縁部の下面と左右の中央係止片３７の上端面の間、又は（及び）、前後の係合片６１の上面と各カバー用係止爪５６の下面の間に微小クリアランスが形成される。そのため絶縁カバー６０のリセプタクルインシュレータ３９に対する上下への相対移動は実質的に規制される。また絶縁カバー６０の上面は仕切壁５５の上面から上方へ突出しない。
以上の要領によってリセプタクルコンタクト２７、リセプタクルインシュレータ３９、及び、絶縁カバー６０を一体化することによりリセプタクルコネクタ２５を組み立てることが出来る。
【００２８】
続いて、コネクタ１０（プラグコンタクト１５、リセプタクルコネクタ２５）を用いて各回路基板ＣＢを互いに接続する要領について説明する。
まずは、前後方向に延びる薄板状をなし、かつ、表面に多数の雌ねじ孔が形成された固定板（図示略）の表面を上側に向けた上で、表面にＬＥＤユニット１０２及びプラグコンタクト１５が実装（固定）された多数の回路基板ＣＢの裏面（ＬＥＤユニット１０２及びプラグコンタクト１５と反対側の面）を下方に向けて、前後方向に並べた各回路基板ＣＢの裏面を上記固定板の表面に載せる。なお、前端に位置する回路基板ＣＢには後端部にのみ２つのプラグコンタクト１５が固定してあり、後端に位置する回路基板ＣＢには前端部にのみ２つのプラグコンタクト１５が固定してあるが、その他の回路基板ＣＢは前後両端部に計４つ（前端部と後端部に２つずつ）のプラグコンタクト１５が固定してある。
続いて、回路基板ＣＢに形成した貫通孔（図示略）に止めネジを挿入して、各止めネジのネジ溝を上記固定板の対応する雌ねじ孔に螺合して、各回路基板ＣＢを固定板に固定する。
次いで、隣り合う回路基板ＣＢの互いに対向する端部にそれぞれ固定された前後方向に対向する２つのプラグコンタクト１５の直上に図示状態とは上下を逆さにしたリセプタクルコネクタ２５を位置させ、リセプタクルコネクタ２５を下方（回路基板ＣＢ側）に移動させる。すると図１、及び、図１０〜図１４に示すように、収納空間４０の前部が前側のプラグコンタクト１５に被さり、収納空間４０の後部が後側のプラグコンタクト１５に被さる。左右に対向する二つの傾斜案内部３３の先端（接続作業時においては下端）どうしの左右間隔がパーツ接続部２２の左右長より大きいので、このときパーツ接続部２２が左右に対向する二つの傾斜案内部３３の間に円滑に進入する。そして前側に位置する一対（左右）の接触片３１及び後側に位置する一対（左右）の接触片３１の接触突条３２が、対応するプラグコンタクト１５の左右の誘い込み面２１にそれぞれ接触することにより、左側の接触片３１及び各弾性接続部２９の左側部が左側に僅かに弾性変形し、右側の接触片３１及び各弾性接続部２９の右側部が右側に僅かに弾性変形する。そして左右の接触突条３２が抜止部２０（傾斜部２０Ａ、一定径部２０Ｂ）を下方に乗り越えると、左右の接触片３１の弾性変形量が小さくなって各接触突条３２が左右の接触部１９に接触する。そして各接触突条３２が接触部１９に接触したときに、プラグコンタクト１５とリセプタクルコネクタ２５の接続作業を行っている作業者はクリック感を体感できる。
このようにしてリセプタクルコネクタ２５を前後のプラグコンタクト１５に接続すると、図１０〜図１３に示すようにプラグコンタクト１５の大部分（実装部１７の回路基板ＣＢ側の端部を除く部分）がリセプタクルインシュレータ３９の収納空間４０に完全に収納され、プラグコンタクト１５及びリセプタクルコンタクト２７の周囲全体が回路基板ＣＢとリセプタクルインシュレータ３９によって保護される。また側壁４１及び端部壁４２と回路基板ＣＢの間に微小クリアランスが形成され、側面視において水平面４６が回路基板ＣＢと平行になる。さらに逃げ用凹部４５が隣り合う回路基板ＣＢの対向端部と、回路基板ＣＢの厚み方向に対向する。
さらに対をなす前後の弾性接続部２９の前後間隔がプラグコンタクト１５の前後長より長いので、リセプタクルコンタクト２７（リセプタクルコネクタ２５）はプラグコンタクト１５に対して前後方向にスライド自在となる。またプラグコンタクト１５の左右の接触部１９の断面形状が円弧形状であるため、プラグコンタクト１５の接触部１９を左右から挟持する一対（左右）の接触片３１は当該プラグコンタクト１５に対して（プラグコンタクト１５の上下方向に延びる中心軸回りに）相対回転可能である。さらに図１３に示すように、接触片３１の先端（図１３では上端）と実装部１７の間には上下方向の隙間が存在し、かつ、傾斜部２０Ａと一定径部２０Ｂの境界線（稜線）と接触片３１の内面（の接触突条３２より弾性接続部２９側に位置する部分）との間にも上下方向の隙間が出来るので、リセプタクルコンタクト２７（リセプタクルコネクタ２５）はプラグコンタクト１５に対して当該隙間の合計分だけ上下方向にスライド自在である。
さらに図１３に示すように、対をなす左右の接触片３１の接触突条３２の左右間隔よりプラグコンタクト１５の左右の抜止部２０（傾斜部２０Ａ、一定径部２０Ｂ）どうしの左右間隔の方が大きいので、リセプタクルコネクタ２５を回路基板ＣＢから離れる方向に意図的に移動させない限り、プラグコンタクト１５とリセプタクルコンタクト２７の接続状態が解除されることはない。
【００２９】
このようにしてリセプタクルコネクタ２５を２つのプラグコンタクト１５に跨る状態で接続すると、リセプタクルコンタクト２７の各接触片３１（接触突条３２）が前後のプラグコンタクト１５と接触するので、隣り合う回路基板ＣＢどうしが２つのプラグコンタクト１５と一つのリセプタクルコンタクト２７を介して互いに電気的に導通可能な状態となる。従って、一体化した上記固定板、複数の回路基板ＣＢ、及び、コネクタ１０（プラグコンタクト１５、リセプタクルコネクタ２５）を上下逆さにした上で（図１に示す状態にした上で）透光管１０１の内部に挿入して、両端の回路基板ＣＢの間に電流を流せば、各回路基板ＣＢに設けたＬＥＤ１０３が発光し、透光１０１から下方に向かって照射される。
【００３０】
また上記固定板の各雌ねじ孔や回路基板ＣＢの貫通孔の形成位置が設計位置から左右方向や前後方向にずれていたり、或いは固定板の表面が平坦でない場合は、図１６〜図１８に示すように隣り合う回路基板ＣＢどうしが互いに左右方向や前後方向や上下方向に位置ずれを起こす。
しかし隣り合う回路基板ＣＢどうしが左右方向に位置ずれを起こした場合は、図１５に示すように各接触片３１がプラグコンタクト１５に対して（プラグコンタクト１５の上下方向に延びる中心軸回りに）相対回転することにより、この左右方向の位置ずれを吸収する。
さらにこの場合は、プラグコンタクト１５が回路基板ＣＢに固定されると共に殆ど弾性変形せず（姿勢が変わらず）、接触片３１が弾性変形しながらプラグコンタクト１５に対して回転するので、リセプタクルコンタクト２７（及びプラグコンタクト１５）にはプラグコンタクト１５と接触片３１の接触部位を中心とする捻り力（回転モーメント）が殆ど生じない。またプラグコンタクト１５との摺動によってリセプタクルコンタクト２７に生じる微小な応力が、接触片３１が弾性変形することにより効率よく分散・吸収される。しかもリセプタクルコンタクト２７はリセプタクルインシュレータ３９に対して自由度を持って係合しているため、左右への位置ずれに伴って生じる内部応力の発生を低減でき、また摩擦等で生じる微小な応力を効率よく分散できる。そのため隣り合う回路基板ＣＢどうしが左右に位置ずれを起こした状態で上記固定板に固定され続けたとしても、中間連結部３５が変形したり破損するおそれは殆どない。そのため中間連結部３５の変形や破損に起因してプラグコンタクト１５とリセプタクルコンタクト２７の間の接触信頼性が低下するおそれは殆どなく、隣り合う回路基板ＣＢ同士を確実に導通させることが可能である。
なお、プラグコンタクト１５とリセプタクルコンタクト２７（リセプタクルコネクタ２５）によって吸収可能な左右方向の位置ずれ量は、プラグインシュレータ３０の収納空間４０とプラグコンタクト１５とのクリアランス量を変更することによって調整可能である。
【００３１】
また、隣り合う回路基板ＣＢどうしが前後方向に位置ずれを起こした場合は、図１６に示すようにリセプタクルコンタクト２７（リセプタクルコネクタ２５）がプラグコンタクト１５に対して前後方向にスライドすることにより当該位置ずれを吸収するので、この場合も隣り合う回路基板ＣＢ同士を確実に導通させることが可能である。
さらに隣り合う回路基板ＣＢどうしが上下方向に位置ずれを起こした場合は、図１７、図１８に示すようにリセプタクルコンタクト２７（リセプタクルコネクタ２５）がプラグコンタクト１５に対して上下方向にスライドすることにより（接触突条３２の接触部１９に対する接触位置が上下に変化することにより）、当該位置ずれを吸収する。さらにリセプタクルコンタクト２７はリセプタクルインシュレータ３９に対して自由度を持って係合しているため、上下への位置ずれに伴って生じる内部応力の発生も低減でき、また上下への位置ずれに起因する摩擦等で生じる微小な応力を効率よく分散できる。そのため隣り合う回路基板ＣＢどうしが上下に位置ずれを起こした状態で上記固定板に固定され続けたとしても、中間連結部３５が変形したり破損するおそれは殆どない。従って、この場合も隣り合う回路基板ＣＢ同士を確実に導通させることが可能である。
また、このときリセプタクルインシュレータ３９が各回路基板ＣＢに対して側面視で傾斜するため、隣接する回路基板ＣＢに対して下方に移動した回路基板ＣＢ（図中の前側の回路基板ＣＢ）の端部に対して側壁４１の上端面が接近するが、図１８に示すように回路基板ＣＢの当該端部は逃げ用凹部４５内に位置するため、回路基板ＣＢの当該端部が側壁４１と干渉することはない。さらに側壁４１の各外側傾斜端面４７と各内側傾斜端面４８は、隣接する回路基板ＣＢが同一平面上に位置するときは側面視において各回路基板ＣＢに対して傾斜しているが、隣り合う回路基板ＣＢどうしが上下方向に位置ずれを起こすと、図１８に示すように前方の内側傾斜端面４８と後方の外側傾斜端面４７が回路基板ＣＢと略平行になりながら前後の回路基板ＣＢにそれぞれ接近する。そのため隣り合う２枚の回路基板ＣＢの下面が前方の内側傾斜端面４８と後方の外側傾斜端面４７に接触することはない。
さらに隣り合う回路基板ＣＢどうしが左右方向、前後方向、及び、上下方向の各方向に複合的に位置ずれした場合も、上記と同様の効果を発揮する。
また、第一パーツ１６Ａと第二パーツ１６Ｂの間にスリットを形成することにより、プラグコンタクト１５を機能的に不必要な部位が（殆ど）ない構造にしたので、プラグコンタクト１５の軽量化を図ることが可能である。
【００３２】
またプラグコンタクト１５及びリセプタクルコンタクト２７がリセプタクルインシュレータ３９（収納空間４０）に収納され、プラグコンタクト１５及びリセプタクルコンタクト２７の周囲全体が回路基板ＣＢとリセプタクルインシュレータ３９によって保護される。そのためプラグコンタクト１５とリセプタクルコンタクト２７の嵌合作業時だけでなく嵌合後においてもリセプタクルコンタクト２７とプラグコンタクト１５が破損するのを防止できる。またリセプタクルインシュレータ３９の閉塞部４３には、リセプタクルインシュレータ３９の成形時に金型を抜くための４つの孔が形成されるが（図１、図６、図９等を参照）、これらの孔は小さく、かつ、ＬＥＤ照明器具１００を組み立てたときにはリセプタクルインシュレータ３９の下面に位置するので、これらの孔から皮脂や異物がリセプタクルインシュレータ３９の内部に侵入してリセプタクルコンタクト２７やプラグコンタクト１５に付着するおそれは小さく、接触不良やスパーク等の発生を抑止できる。
さらに、嵌合後は電気的に導通する部分（リセプタクルコンタクト２７とプラグコンタクト１５、回路基板ＣＢの実装部）をリセプタクルインシュレータ３９及び回路基板ＣＢによって覆い、しかも絶縁カバー６０によってリセプタクルコンタクト２７の中間連結部３５と回路基板ＣＢの間を絶縁しているので、極めて良好な絶縁性能を発揮できる。
また、リセプタクルコンタクト２７の上下寸法をプラグコンタクト１５より小さく（薄く）することができる構造なので、コネクタ１０の低背化が可能となる。
【００３３】
以上、本発明を上記各実施形態に基づいて説明したが、本発明は上記実施形態に限定されるものではなく、様々な変形を施しながら実施可能である。
例えば図１９〜図２６に示す各変形例の態様で実施することが可能である。
図１９に示す第一の変形例のプラグコンタクト１５’は実装部１７’の形状がプラグコンタクト１５の実装部１７とは異なる。即ち、実装部１７’は実装部１７に相当する部分から水平方向に突出する延長部１７Ａを備えており、延長部１７Ａの上面（回路基板ＣＢとの実装面）には延長部１７Ｂが凹設してある。
この延長部１７Ａを回路基板ＣＢに対してはんだ付けすることによりプラグコンタクト１５’を回路基板ＣＢに実装する場合も、はんだの一部が延長部１７Ａ（実装部１７’）を伝って接触部１９側に移動しようとする。しかし実装部１７’は実装部１７より長いので、はんだが実装部１７’の基端部まで移動するおそれは小さい。さらに実装部１７’の基端部へ移動しようとするはんだの一部ははんだ逃げ用凹部１７Ｂへ向かうので、接触部１９側に向かうはんだの量を少なくすることが可能である。そのため、はんだ上がり防止部１８（低濡れ性領域１８Ａ）を形成しない場合であっても、はんだが接触部１９側に這い上がるのを効果的に防止できる。
【００３４】
図２０〜図２２に示す第二の変形例のプラグコンタクト６５は、導電性を有する金属線材（例えば、リン青銅、ベリリウム銅、チタン銅などの銅合金や、コルソン系銅合金の線材）を圧縮加工した後に、表面にニッケルめっきで下地を形成した後に、ニッケルめっきの表面を錫めっきや金めっきで覆ったものである。プラグコンタクト６５は上下方向に延びる中心軸を中心とする回転対称形状の中実構造（内部に中空部が存在しない構造）であり、実装部６６、はんだ上がり防止部６７、接触用円柱部６８、抜止部６９、テーパ面７０、及び、端部７１を備えている。実装部６６は円板形状である。接触用円柱部６８は上記中心軸を中心とする円柱形状であり、実装部６６より小径である。接触用円柱部６８の左右両側部がそれぞれ接触部６８Ａを構成している。実装部６６と接触用円柱部６８の端部を接続する環状のはんだ上がり防止部６７は接触用円柱部６８より僅かに大径であり、その表面は上記めっき（錫めっきや金めっき）を剥がすことにより上記ニッケルめっきを露出させた低濡れ性領域６７Ａとなっている。抜止部６９の上部は下方に向かうにつれて徐々に拡径する傾斜部６９Ａであり、傾斜部６９Ａを除く部分はいずれの上下位置においても曲率が一定の一定径部６９Ｂとなっている。テーパ面７０は下方に向かうにつれて徐々に縮径する形状であり、テーパ面７０の左右両側部がそれぞれ誘い込み面７０Ａ（傾斜面）を構成している。端部７１の下端面は水平面からなる水平当接面７２となっている。
プラグコンタクト６５は実装部６６を回路基板ＣＢに対してはんだ付けすることにより回路基板ＣＢに実装できる。このときはんだの一部が接触用円柱部６８側に這い上がろうとするが、はんだの這い上がりははんだ上がり防止部６７によって防止される。
またリセプタクルコンタクト２７が自由状態にあるとき、対をなす左右の接触片３１の接触突条３２どうしの左右間隔は、プラグコンタクト６５の端部７１の直径より長く、かつ、プラグコンタクト６５の接触用円柱部６８の直径、及び、抜止部６９（傾斜部６９Ａ、一定径部６９Ｂ）の直径より短い。さらに接触用円柱部６８（接触部６８Ａ）の上下長は接触部１９とほぼ同一である。従ってプラグコンタクト６５とリセプタクルコネクタ２５を備える本変形例のコネクタは上記実施形態と同様の作用効果を発揮する。さらに圧縮加工によりプラグコンタクト６５を成形しているので、スタンピング成形による成形物であるプラグコンタクト１５、１５’に比べて生産コストを低く抑えることが可能である。
【００３５】
図２３に示す第三の変形例のプラグコンタクト６５’の基本構造及び製造要領はプラグコンタクト６５と同じであり、実装部６６に一対の延長部１７Ａを突設したものである。そのため、プラグコンタクト６５’とリセプタクルコネクタ２５を備える本変形例のコネクタは第一、第二の変形例と同様の作用効果を発揮できる。
図２４に示す第四の変形例のプラグコンタクト６５’’の基本構造及び製造要領はプラグコンタクト６５と同じであり、実装部６６の上面に円形のはんだ逃げ用凹部７３が凹設してある。そのため、このプラグコンタクト６５’’とリセプタクルコネクタ２５を備える本変形例のコネクタも第一、第二の変形例と同様の作用効果を発揮できる。
【００３６】
図２５、図２６に示す第五の変形例のプラグコンタクト７５の基本構造及び製造要領はプラグコンタクト６５と同じであり、圧縮加工により成形したものである。ただし、テーパ面７６（左右両側部がそれぞれ誘い込み面７６Ａ（傾斜面）を構成している）の上下寸法がテーパ面７０に比べて大きい点がプラグコンタクト６５とは異なる。このプラグコンタクト７５とリセプタクルコネクタ２５を備える本変形例のコネクタが第二の変形例と同様の作用効果を発揮できる。
なお図示は省略してあるが、プラグコンタクト７５に対して、第三の変形例や第四の変形例と同様の変形を施して実施してもよい。
【００３７】
さらに左右の接触部１９、６８Ａは図示の断面形状である必要はなく、回路基板ＣＢと平行な平面で切断した断面形状が互いに反対側に向かって突出する凸曲線をなす形状であれば、別の断面形状であってもよい。
また、接触片３１は全体が略「く」の字の断面形状となっているが、接触片３１の一部のみ（例えば、長手方向の中央部のみ）を断面略「く」の字形状とし（当該部分にのみ接触突条３２を形成し）、その他の部位の断面形状を別の形状（断面略「く」の字形状より弾性変形し易い形状）にしてもよい。
またリセプタクルコネクタ２５を、絶縁カバー６０を具備しない態様で実施してもよい。
さらにリセプタクルインシュレータ３９の材料の反射率を最適化したり、リセプタクルインシュレータ３９の表面に光吸収防止のコーティングを施しても良い。このようにすれば、コネクタによる光の吸収を防止できる。
【００３８】
また、本実施形態及び各変形例ではコネクタ１０をＬＥＤ照明器具１００に適用したが、ＬＥＤ照明器具１００とは異なる電子機器や電気機器に適用可能であることは言うまでもない。
【符号の説明】
【００３９】
１０    コネクタ
１５  １５’  プラグコンタクト（プラグコネクタ）
１６Ａ  第一パーツ
１６Ｂ  第二パーツ
１７  １７’  実装部
１７Ａ  延長部
１７Ｂ  はんだ逃げ用凹部
１８    はんだ上がり防止部
１８Ａ  低濡れ性領域
１９    接触部
２０    抜止部
２０Ａ  傾斜部
２０Ｂ  一定径部
２１    誘い込み面（傾斜面）
２２    パーツ接続部
２３    水平当接面
２５    リセプタクルコネクタ
２７    リセプタクルコンタクト
２８    嵌合接続部
２９    弾性接続部
３１    接触片
３２    接触突条
３３    傾斜案内部
３４    端部係止片
３５    中間連結部（連結部）
３６    当接部
３７    中央係止片
３９    リセプタクルインシュレータ
４０    収納空間
４１    側壁（囲堯壁）
４２    端部壁（囲堯壁）
４３    閉塞部
４５    逃げ用凹部
４６    水平面
４７    外側傾斜端面（傾斜端面）
４８    内側傾斜端面（傾斜端面）
５０    端部係止爪
５１    案内傾斜面
５３    中間連結部用係止爪
５４    案内傾斜面
５５    仕切壁
５６    カバー用係止爪
５７    案内傾斜面
６０    絶縁カバー
６１    係合片
６２    干渉防止用凹部
６５  ６５’  ６５’’  プラグコンタクト（プラグコネクタ）
６６    実装部
６７    はんだ上がり防止部
６７Ａ  低濡れ性領域
６８    接触用円柱部
６８Ａ  接触部
６９    抜止部
６９Ａ  傾斜部
６９Ｂ  一定径部
７０    テーパ面
７０Ａ    誘い込み面（傾斜面）
７１    端部
７２    水平当接面
７３    はんだ逃げ用凹部
７５    プラグコンタクト（プラグコネクタ）
７６    テーパ面
７６Ａ  誘い込み面（傾斜面）
１００  ＬＥＤ照明器具
１０１  透光管
１０２  ＬＥＤユニット
１０３  ＬＥＤ（半導体発光素子）
ＣＢ    回路基板
【図１】
2013114933.tif 000003
【図２】
2013114933.tif 000004
【図３】
2013114933.tif 000005
【図４】
2013114933.tif 000006
【図５】
2013114933.tif 000007
【図６】
2013114933.tif 000008
【図７】
2013114933.tif 000009
【図８】
2013114933.tif 000010
【図９】
2013114933.tif 000011
【図１０】
2013114933.tif 000012
【図１１】
2013114933.tif 000013
【図１２】
2013114933.tif 000014
【図１３】
2013114933.tif 000015
【図１４】
2013114933.tif 000016
【図１５】
2013114933.tif 000017
【図１６】
2013114933.tif 000018
【図１７】
2013114933.tif 000019
【図１８】
2013114933.tif 000020
【図１９】
2013114933.tif 000021
【図２０】
2013114933.tif 000022
【図２１】
2013114933.tif 000023
【図２２】
2013114933.tif 000024
【図２３】
2013114933.tif 000025
【図２４】
2013114933.tif 000026
【図２５】
2013114933.tif 000027
【図２６】
2013114933.tif 000028